(57)【要約】【課題】パッキン等の別部品を用いることなく、高い防虫性能及び防水性能を有する照明器具を提供すること。【解決手段】照明器具は、ランプが装備される上部部材と、上部部材に嵌合する下部部材とを備える。上部部材の上部嵌合部及び下部部材の下部嵌合部の一方には凹形状の溝が形成され、他方には溝に嵌合する凸部が形成され、上部部材と下部部材とが嵌合されていない状態の、上部嵌合部及び下部嵌合部のいずれか一方の側面形状は、他方に対して反った形状である。【選択図】図２
2009004331.tif 000002
【特許請求の範囲】
【請求項１】
ランプが装備される上部部材と、前記上部部材に嵌合する下部部材と、を備える照明器具であって、
前記上部部材の上部嵌合部及び前記下部部材の下部嵌合部の一方には凹形状の溝が形成され、他方には前記溝に嵌合する凸部が形成され、
前記上部部材と前記下部部材とが嵌合されていない状態の、前記上部嵌合部及び前記下部嵌合部のいずれか一方の側面形状は、他方に対して反った形状であることを特徴とする照明器具。
【請求項２】
請求項１に記載の照明器具であって、
反った形状の前記上部嵌合部又は前記下部嵌合部の側面形状は、長手方向に対して曲線状に中央部が凸となった形状であることを特徴とする照明器具。
【請求項３】
請求項１に記載の照明器具であって、
前記溝及び前記凸部は、互いに係合する係合部をそれぞれ有することを特徴とする照明器具。
【請求項４】
請求項１に記載の照明器具であって、
前記上部部材と前記下部部材とが嵌合した状態の前記凸部及び前記溝は、前記凸部及び前記溝の断面における複数箇所で線接触することを特徴とする照明器具。
【発明の詳細な説明】
【技術分野】
【０００１】
本発明は、防虫性能及び防水性能を有する照明器具に関する。
【背景技術】
【０００２】
街路灯等として屋外で使用される照明器具が各種開発されている。従来の照明器具は、ランプ等を取り付けた器具本体と、器具本体に嵌合されランプからの光を透過するグローブとを備える。
【０００３】
各種照明器具の一部には、器具本体とこの器具本体に嵌合するグローブとの間の接合部に、パッキンを介在させることなく、防水、防虫機能が実現されている（例えば、特許文献１参照）。図９は、特許文献１に開示された街路灯を示す一部断面図である。図９に示すように、特許文献１に開示された街路灯では、上部グローブ１の下面に下方へ突出して下部グローブ２の上面に下端が近接して位置する下方突出壁４ａを設け、この下方突出壁４ａより内側で下部グローブ２の上面に上方へ突出して上端が上部グローブ１の下面に近接して位置する上方突出壁６ａを設け、下方突出壁４ａと上方突出壁６ａとの間に毛細管現象が生じない大きさの空間部１０が形成されている。これにより下方突出壁４ａと下部グローブ２の上面の隙間から水が浸入したとしても、空間部１０により毛細管現象を阻止でき、それより内部に水が浸入することがない。また、パッキンを使用しないため、パッキンの劣化やはがれによる防水性能や防虫性能の欠如がなく、安定した品質を保つことが可能となる。
【０００４】
【特許文献１】特開２０００−３４８５２２号公報
【発明の開示】
【発明が解決しようとする課題】
【０００５】
しかし、上記説明した照明器具又は街路灯であっても、経年変化や温度変化等のために器具本体又はグローブに反りが生じると、器具本体とグローブとの間で特に長手方向の中間部分に隙間が発生して、その隙間から虫や雨水等が入り込むおそれがある。
【０００６】
本発明の目的は、パッキン等の別部品を用いることなく、高い防虫性能及び防水性能を有する照明器具を提供することである。
【課題を解決するための手段】
【０００７】
本発明は、ランプが装備される上部部材と、前記上部部材に嵌合する下部部材と、を備える照明器具であって、前記上部部材の上部嵌合部及び前記下部部材の下部嵌合部の一方には凹形状の溝が形成され、他方には前記溝に嵌合する凸部が形成され、前記上部部材と前記下部部材とが嵌合されていない状態の、前記上部嵌合部及び前記下部嵌合部のいずれか一方の側面形状は、他方に対して反った形状である照明器具を提供する。
【０００８】
上記照明器具では、反った形状の前記上部嵌合部又は前記下部嵌合部の側面形状が、長手方向に対して曲線状に中央部が凸となった形状である。
【０００９】
上記照明器具では、前記溝及び前記凸部は、互いに係合する係合部をそれぞれ有する。
【００１０】
上記照明器具では、前記上部部材と前記下部部材とが嵌合した状態の前記凸部及び前記溝は、前記凸部及び前記溝の断面における複数箇所で線接触する。
【発明の効果】
【００１１】
本発明に係る照明器具によれば、上部部材の上部嵌合部及び下部部材の下部嵌合部の一方には凹形状の溝が形成され、他方には前記溝に嵌合する凸部が形成され、上部部材と下部部材とが嵌合されていない状態の、上部嵌合部及び下部嵌合部のいずれか一方の側面形状は、他方に対して反った形状となっているので、上部部材及び下部部材の少なくともいずれか一方に経時変化や温度変化等で反りを生じても、その反りを生じている部分を前記反りかった形状部分で補償することができ、虫や雨水等が照明器具の内部へ侵入するのを防止できる。
【発明を実施するための最良の形態】
【００１２】
以下、本発明の実施形態について、添付図面を参照して説明する。
【００１３】
図１は、一実施形態の照明器具１を示す斜視図である。図２は、一実施形態の照明器具１００を側面から見た分解断面図である。図３は、図２に示した照明器具１００のIII-III線断面図である。図１〜図３に示すように、本実施形態の照明器具１００は、器具本体２０と、グローブ３０と、照明器具１００を柱等に取り付けるためのバックル４０とを備える。なお、図２では、バックル４０の図示は省略されている。
【００１４】
器具本体２０は、照明器具１００の上部部材を構成し、グローブ３０に嵌合される。また、図３に示すように、器具本体２０の図２に示すIII-III線で切断した断面は略コ字形に形成されている。なお、器具本体２０の内部の上端面には、図示されないランプが装着される。さらに、器具本体２０は、図２に示すように、嵌合部分を構成する開口縁部（図２では下縁部）に、凹形状の溝２２（図５（Ａ）及び図５（Ｂ）参照）が形成された上部嵌合部２１を有する。
【００１５】
グローブ３０は、照明器具１００の下部部材を構成し、器具本体２０に嵌合され、器具本体２０に装着されたランプからの光を透過する。また、図３に示すように、グローブ３０の図２に示すIII-III線で切断した断面は略Ｖ字形又は略コ字形に形成されている。さらに、グローブ３０は、図２に示すように、嵌合部分を構成する開口縁部（図２では上縁部）に、器具本体２０の上部嵌合部２１に設けられた溝２２に嵌合する凸部３２（図５（Ａ）及び図５（Ｂ）参照）が形成された下部嵌合部３１を有する。
【００１６】
図４は、器具本体２０と嵌合されていないグローブ３０の側面図である。グローブ３０は、図４に示すように、器具本体２０と嵌合されていない状態のとき、下部嵌合部３１の側面形状が、器具本体２０に向けて（Ｙ方向に）弓形に反った形状を有する。別言すれば、下部嵌合部３１の側面形状は、器具本体２０との嵌合部分である開口縁部（上縁部）側が直線Ｌよりも器具本体２０側に向けて膨出し、長手方向に対して曲線状に中央部が凸となった形状である。
【００１７】
器具本体２０とグローブ３０は、図５（Ａ）及び図５（Ｂ）に示すように、器具本体２０の上部嵌合部２１に設けられた溝２２とグローブ３０の下部嵌合部３１に設けられた凸部３２とを嵌合させることによって接合される。が、器具本体２０及びグローブ３０の両端（先端及び基端）には、器具本体２０とグローブ３０とが接合した状態で固定するための固定部が設けられている。即ち、図２に示すように、グローブ３０の先端にはフック３Ａが設けられ、器具本体２０の先端にはフック３Ａが係合する係合孔２Ａが設けられている。一方、器具本体２０の基端及びグローブ３０の基端には、バックル４０と一体に留め付けるための止め付け部２Ｂ，３Ｂが設けられている。
【００１８】
器具本体２０の上部嵌合部２１に設けられた溝２２と、グローブ３０の下部嵌合部３１に設けられた凸部３２とは、図５（Ａ）に示すように、凸部３２及び溝２２の断面における複数箇所で、長手（Ｘ）方向に互いに線接触する状態で嵌合される。なお、溝２２と凸部３２との嵌合状態は、図５（Ｂ）に示すように、凸部３２及び溝２２の断面における一面が長手（Ｘ）方向に互いに面接触する状態で嵌合されても良い。
【００１９】
さらに、器具本体２０の上部嵌合部２１に設けられた溝２２と、グローブ３０の下部嵌合部３１に設けられた凸部３２とは、図６に示すように、嵌合部分の内部で互いに係合する係合部をそれぞれ有しても良い。この場合、上部嵌合部２１の溝２２には凹部２２Ａが設けられ、下部嵌合部３１の凸部３２には凹部２２Ａに係合する突起３２Ａが設けられる。凹部２２Ａと突起３２Ａの係合により器具本体２０とグローブ３０の嵌合力が増大するため、より一層確実な嵌合状態が確保できる。
【００２０】
本実施形態の照明器具１００では、グローブ３０を器具本体２０に嵌合する際、器具本体２０の上部嵌合部２１に設けられた溝２２にグローブ３０の下部嵌合部３１に設けられた凸部３２が納まるよう、グローブ３０の反りに逆らって器具本体２０とグローブ３０とを接合させて、両端（先端及び基端）で固定する。
【００２１】
以上説明したように、本実施形態の照明器具１００によれば、グローブ３０の反りに逆らって器具本体２０とグローブ３０とが接合されるため、器具本体２０の上部嵌合部２１とグローブ３０の下部嵌合部３１との間に隙間が発生しない。また、経年変化や温度変化等のために器具本体２０又はグローブ３０に反りが生じても、グローブ３０の元来の反りに起因する器具本体２０とグローブ３０の強い接合力によって隙間が発生しない。したがって、パッキン等の別部品を用いなくても、長年にわたり、高い防虫性能及び防水性能を発揮することができる。
【００２２】
本実施形態では、図４に示したように、器具本体２０と嵌合されていない状態のグローブ３０の下部嵌合部３１の側面形状は、器具本体２０に向けて（Ｙ方向に）弓形に反った形状を有する。これとは逆に、図７に示すように、グローブ３０の下部嵌合部の側面形状を、器具本体２０とは逆の方向に弓型に反った形状であっても良い。また、図８に示すように、器具本体２０の上部嵌合部の側面形状を弓型に反った形状としても良い。
【産業上の利用可能性】
【００２３】
本発明に係る照明器具は、高い防虫性能及び防水性能を有し、屋外取付用の照明器具等として有用である。
【図面の簡単な説明】
【００２４】
【図１】一実施形態の照明器具を示す斜視図
【図２】一実施形態の照明器具を側面から見た分解断面図
【図３】図２に示した照明器具のIII-III線断面図
【図４】器具本体と嵌合されていないグローブの側面図
【図５】照明器具の嵌合状態（Ａ）及びその変形例（Ｂ）を示す拡大断面図
【図６】照明器具の嵌合部分に係合部が設けられた場合の嵌合状態を示す拡大断面図
【図７】他の実施形態の照明器具を構成する器具本体とグローブを示す側面図
【図８】他の実施形態の照明器具を構成する器具本体とグローブを示す側面図
【図９】特許文献１に開示された街路灯を示す一部断面図
【符号の説明】
【００２５】
１００  照明器具
２０  器具本体
２１  上部嵌合部
２２  溝
３０  グローブ
３１  下部嵌合部
３２  凸部
４０  バックル
【図１】
2009004331.tif 000003
【図２】
2009004331.tif 000004
【図３】
2009004331.tif 000005
【図４】
2009004331.tif 000006
【図５】
2009004331.tif 000007
【図６】
2009004331.tif 000008
【図７】
2009004331.tif 000009
【図８】
2009004331.tif 000010
【図９】
2009004331.tif 000011